(57)【要約】      （修正有）【課題】係止穴に対する取り付け及び取り外しが簡単に行え、通常展示時には、脱落を確実に防止することができ、しかも商品を吊下している陳列バーや棚板受が係止穴または係止穴部材に対して横揺れしないように固定できる陳列用支持具を簡単な構造によって提供すること。【解決手段】基部１１の前部に、陳列バーが挿通される取付穴１６ａ、または棚板受を係止する取付段部と、これらの取付段部または取付穴１６ａの近傍に位置する回動穴１４とを設け、回動穴１４内に嵌合される軸部と、この軸部の両側に一体化されて、基部１１の両側に位置することになるロックアームと、これら各ロックアームの同一位置に形成されて、陳列バーまたは棚板受の後面に当接するロック端部とからなるロック部材１５を、回動穴１４に回動自在に取り付けたこと。【選択図】図２
2010268826.tif 000002
【特許請求の範囲】
【請求項１】
壁や陳列什器に対して、衣服のハンガーを掛ける陳列バー、または棚板を受ける棚板受を支持する基部を有する陳列用支持具であって、
前記基部の前部に、前記陳列バーが挿通される取付穴、または前記棚板受を係止する取付段部と、これらの取付段部または前記取付穴の近傍に位置する回動穴とを設け、
前記回動穴内に嵌合される軸部と、この軸部の両側に一体化されて、前記基部の両側に位置することになるロックアームと、これら各ロックアームの同一位置に形成されて、前記陳列バーまたは棚板受の後面に当接するロック端部とからなるロック部材を、前記回動穴に回動自在に取り付けたことを特徴とする陳列用支持具。
【請求項２】
前記基部の後部に、前記壁や陳列什器に設けられた係止穴に係合される係止爪と、この係止爪の近傍に位置して、前記係止穴に係合されるストッパとを設けたことを特徴とする請求項１に記載の陳列用支持具。
【発明の詳細な説明】
【技術分野】
【０００１】
本発明は、陳列用支持具に関し、特に壁や陳列什器に形成された係止穴に取り付けられて、物品を陳列する際に使用される陳列バーや棚板受を支持するための陳列用支持具に関するものである。
【背景技術】
【０００２】
この種の陳列用支持具は、壁や陳列什器に直接設けた係止穴、あるいは壁や陳列什器に取り付けた係止穴部材（サポート部材と呼ばれることもある）に設けた係止穴を利用して、これらの壁や陳列什器等に陳列バーや棚板受を取り付けるものである。また、壁や陳列什器に取り付けた係止穴部材や、陳列什器の柱を構成している係止穴部材には、図６にも示すような係止穴（スリット）が形成してある。そのために、この種の陳列用具は、図１にも示すように、各係止穴に係合するための係止爪を備えているのが一般的である。
【０００３】
この種の陳列用具によって壁または陳列什器に支持されるべき陳列バーは、図１に示すように、衣服を掛けたハンガーを吊下するものであり、角棒または角パイプであったり、図８に示すような丸棒または丸パイプであったりするものである。棚板受は、図９に示すように、この種の陳列用支持具の先端部に係合されるものであり、その上面と陳列用支持具の基部の上面とで、物品が載置される棚板のための受け面を形成するものである。
【０００４】
そして、この種の陳列用支持具は、季節に合った商品の展示を行うため、あるいは店舗の改装に応じて、そのレイアウトを変更しなければならないが、その場合には、その係止爪を各係止穴から外して別の係止穴に係合させなければならないし、別の陳列用支持具を採用することもある。何れにしても、陳列用支持具を使用する店舗の改修等を行うには、各係止爪を、壁や陳列什器に直接設けた係止穴、あるいは壁や陳列什器に取り付けた係止穴部材の係止穴に対して取り付けたり取り外したりしなければならない。
【０００５】
以上のような陳列用支持具の係止穴に対する取り付けや取り外し操作を行い易くするために、当然のことながら、各係止穴の大きさは、図６の（ｂ）にも示すように、係止爪に対して少し大きめにしてある。つまり、係止穴に対して取り付けた陳列用支持具の各係止爪と、各係止穴との間には少しクリアランスが存在しているのであり、このクリアランスの存在によって陳列用支持具が横揺れすることがあるだけでなく、支持部分から衣服等を外す際や、例えば地震発生時等において、各係止爪が破損したり、陳列用支持具自体が係止穴から不用意に外れてしまうことがあり得る。
【０００６】
このような陳列用支持具の横揺れ防止を図るために、例えば、特許文献１においてその対策が施されている。
【先行技術文献】
【特許文献】
【０００７】
【特許文献１】特開２００７−２０７４２号公報、要約
【発明の概要】
【発明が解決しようとする課題】
【０００８】
この特許文献１には、「横揺れ防止が必要なブラケットに対して簡単に横揺れを防止させることができるブラケットを提供すること」を目的とした「陳列棚用ブラケット」が提案されている。この「陳列棚用ブラケット」は、図１０にも示すように、「サポート部材１０２に上下多段に設けられたスリット１０７に挿入されるブラケット１の後端に設けられた係止フック１０と、この係止フック１０の前方部に設けられたリブ凹所１２と、このリブ凹所１２に係合するリブ２２が設けられブラケット１に摺動自在に装着される板状の揺れ止め部材２と、を備える。揺れ止め部材２は、スリット１０７と係止フック１０間の間隙に嵌め込まれる突出リブ２１が形成されている」といった構成を有しているものである。
【０００９】
つまり、この特許文献１の「陳列棚用ブラケット」では、「横揺れ防止」を果たすことが十分行えるとは思うが、「ブラケット１に摺動自在に装着した板状の揺れ止め部材２に突出リブ２１を形成し、この突出リブ２１が、（サポート部材１０２側の）スリット１０７と係止フック１０間の間隙に嵌め込まれる」ようにしなければならないものとなっているから、当該陳列棚用ブラケットの変更時等の作業は簡単ではない。
【００１０】
すなわち、この特許文献１の「陳列棚用ブラケット」では、ブラケット（以下、陳列用支持具という）の展示位置の変更を行おうとすると、サポート部材（係止穴部材）側に深く食い込んでいる上記「板状の揺れ止め部材２」を「抜き出し」て、位置が決まればこれの「差し込み」及び固定を行わなければならないから、相当の手間が必要となるものと思われる。
【００１１】
特に、この種の「陳列用支持具」は、陳列什器や壁に直接設けられている係止穴、または陳列什器や壁に設けられている係止部材の係止穴に取り付けられて、商品を吊下するための陳列バーや棚板受を陳列什器や壁から突出させた状態で陳列するものであり、火災や地震が発生したときには、この種の陳列用支持具が製品とともに落下しないようにしっかりと固定しておかなければならない。勿論、火災が発生したり地震予知情報が発令されたときには、この種の陳列用支持具を製品とともに早急に取り外さなければならないが、そのような緊急の際に、当該陳列用支持具の取り外し作業が手間取るようでは、問題となると考えられるのである。
【００１２】
また、図１及び図５の（ｂ）に示すように、衣服をフェースアウトで陳列する場合、衣服を掛けたハンガー３２を、陳列バー３０ａに取り付けたハンガー掛け３３に掛けることがなされる。このようなフェースアウト陳列では、陳列バー３０ａがしっかりと固定されていないと、衣服やこれを掛けたハンガー３２の重量によって、図１及び図５の（ｂ）中の矢印で示したように傾動することになり、見栄えのよい陳列が行えないことになる。
【００１３】
そこで、本発明者等は、この種の「陳列用支持具」について、その係止穴に対する取り付け及び取り外しが簡単に行え、通常展示時には、当該陳列用支持具が係止穴に対して横揺れしないように、しかも支持している陳列バーや棚板受が簡単には外れないように固定するにはどうしたらよいか、について種々検討を重ねてきた結果、本発明を完成したのである。
【００１４】
すなわち、本発明の目的とするところは、係止穴に対する取り付け及び取り外しが簡単に行え、通常展示時には、脱落を確実に防止することができ、しかも商品を吊下している陳列バーや棚板受が係止穴または係止穴部材に対して横揺れしないように固定できる陳列用支持具を簡単な構造によって提供することにある。
【課題を解決するための手段】
【００１５】
以上の課題を解決するために、まず、請求項１に係る発明の採った手段は、後述する最良形態の説明中で使用する符号を付して説明すると、
「壁や陳列什器２０に対して、陳列バー３０ａまたは棚板３１を受ける棚板受３０ｂを支持する基部１１を有する陳列用支持具１０であって、
基部１１の前部に、衣服のハンガー３２を掛ける陳列バー３０ａが挿通される取付穴１６ａまたは棚板受３０ｂを係止する取付段部１６ｂと、これらの取付段部１６ｂまたは取付穴１６ａの近傍に位置する回動穴１４とを設け、
回動穴１４内に嵌合される軸部１５ａと、この軸部１５ａの両側に一体化されて、基部１１の両側に位置することになるロックアーム１５ｂと、これら各ロックアーム１５ｂの同一位置に形成されて、陳列バー３０ａまたは棚板受３０ｂの後面に当接するロック端部１５ｃとからなるロック部材１５を、回動穴１４に回動自在に取り付けたことを特徴とする陳列用支持具１０」
である。
【００１６】
すなわち、本発明に係る陳列用支持具１０は、例えば図８あるいは図９に示す壁や陳列什器２０に対して、陳列バー３０ａ、または棚板３１を受ける棚板受３０ｂを支持するために使用されるものであって、図１及び図２に示すように、基部１１を有するものである。
【００１７】
この陳列用支持具１０の基部１１は、図１あるいは図８に示すように、壁や陳列什器２０から陳列バー３０ａや棚板受３０ｂをどれだけ離したいかによって、その長さが設定されるものである。例えば、衣服を掛けたハンガー３２を、壁や陳列什器２０が横に位置するようにして大量に吊下したい場合（衣服の袖が重なって並ぶようにする、所謂スリーブアウト陳列）には、図１の（ａ）に示すように、衣服の幅の半分程度の長さの基部１１としたり、衣服の正面全体を見せながら陳列したい場合（所謂、フェースアウト陳列）には、衣服を掛けたハンガー３２をハンガー掛け３３に掛けながら、図１の（ｂ）に示すように、短い長さの基部１１とするものである。さらに、図９に示すように、畳んだ衣服がおける程度の奥行きのある棚板３１を受けるようにする場合（所謂、畳み置き陳列）には、この棚板３１の奥行き程度の長さの基部１１とするのである。
【００１８】
そして、本発明に係る陳列用支持具１０では、その基部１１の前部に、図１〜図３に示すように、陳列バー３０ａが挿通される取付穴１６ａが、あるいは図９に示すように、棚板受３０ｂを係止する取付段部１６ｂが設けてあり、これらの取付段部１６ｂまたは取付穴１６ａの近傍に位置する基部１１には、図２の（ｂ）に示すように、回動穴１４が設けてある。
【００１９】
また、この陳列用支持具１０では、その基部１１の後部に係止爪１２が設けてあり、これら各係止穴２１を壁または陳列什器２０の各係止穴２１に挿入して係止させることにより、壁または陳列什器２０に取り付けられるようになっている。
【００２０】
本発明に係る陳列用支持具１０の基部１１の前部に設けた取付穴１６ａには、図１または図２に示すように、陳列バー３０ａが挿通されるが、この陳列バー３０ａを水平に支持するために、少なくとも２本の陳列用支持具１０が採用される。この場合、陳列バー３０ａとしては、図１に示すような角棒または角パイプが採用され、あるいは図８に示すような丸棒または丸パイプが採用される。一方、棚板受３０ｂとしては、図９に示すように、角棒または角パイプが採用され、基部１１の先端に形成してある取付段部１６ｂ内に収納される。
【００２１】
以上の取付段部１６ｂまたは取付穴１６ａの近傍に位置する基部１１には、図２の（ｂ）に示すように、回動穴１４が設けてあるが、この回動穴１４内には、図３に示すようなロック部材１５が回動可能に組み付けられる。
【００２２】
このロック部材１５は、図３の（ａ）にも示すように、そのロックアーム１５ｂを水平状態にしたときには、ロック端部１５ｄを取付段部１６ｂまたは取付穴１６ａ内に突出しないようにし、ロックアーム１５ｂを略垂直状態にしたときには、ロック端部１５ｄを取付段部１６ｂまたは取付穴１６ａ内に突出させるものである。取付穴１６ａまたは取付段部１６ｂ内には陳列バー３０ａまたは棚板受３０ｂが存在しているのであるから、突出したロック端部１５ｄは、これらの陳列バー３０ａまたは棚板受３０ｂの側面に圧接し、その結果、陳列バー３０ａまたは棚板受３０ｂを取付穴１６ａまたは取付段部１６ｂ内面に圧接する。
【００２３】
換言すれば、ロックアーム１５ｂを水平状態にしたときには、陳列バー３０ａまたは棚板受３０ｂを、取付穴１６ａまたは取付段部１６ｂに対して自由に抜き差しできる、つまり位置調整したり分解したりできるのである。このとき、当該陳列用支持具１０には、陳列バー３０ａまたは棚板受３０ｂと、取付穴１６ａまたは取付段部１６ｂとの間にクリアランスが僅かに存在し、当該陳列用支持具１０はある程度の「横揺れ」可能状態になっている。
【００２４】
これに対して、ロックアーム１５ｂを略垂直状態にしたときには、取付穴１６ａまたは取付段部１６ｂ内に突出したロック端部１５ｄによって、陳列バー３０ａまたは棚板受３０ｂと、取付穴１６ａまたは取付段部１６ｂとの間のクリアランスがなくなり、陳列バー３０ａまたは棚板受３０ｂを、取付穴１６ａまたは取付段部１６ｂに固定するのである。このため、このロック部材１５は、陳列バー３０ａまたは棚板受３０ｂの当該陳列用支持具１０に対する横揺れをさせないだけでなく、陳列用支持具１０の壁または陳列什器２０に対する固定も行うことになって、商品の安定した陳列を行うことになるのである。
【００２５】
このため、特に、図１及び図５の（ｂ）に示したフェースアウト陳列の場合、ロック部材１５によって、陳列バー３０ａの当該陳列用支持具１０に対する横揺れが防止されることになるのであるから、陳列バー３０ａがしっかりと固定されて、図１及び図５の（ｂ）中の矢印で示したような傾動がなくなるのである。以上の結果、ハンガー３２に掛けた商品の安定した陳列が行われ、見栄えのよい陳列が行えるのである。
【００２６】
従って、この請求項１に係る陳列用支持具１０は、基部１１の前部に設けたロック部材１５によって、基部１１に対する陳列バー３０ａまたは棚板受３０ｂの固定が行えるのであり、係止穴２１に対する取り付け及び取り外しが簡単に行えるだけでなく、通常展示時には、脱落を確実に防止することができ、しかも商品を吊下している陳列バー３０ａや棚板受３０ｂが係止穴２１または係止穴部材に対して横揺れしないように固定できるものとなっていて、見栄えのよい陳列を行えるものとなっているのである。
【００２７】
また、以上の課題を解決するために、請求項２に係るに発明の採った手段は、上記請求項１に係る後述する陳列用支持具１０について、
「基部１１の後部に、壁や陳列什器２０に設けられた係止穴２１に係合される係止爪１２と、この係止爪１２の近傍に位置して、係止穴２１に係合されるストッパ１３とを設けるたこと」
である。
【００２８】
すなわち、この請求項２に係る陳列用支持具１０は、その基部１１の後部に、図５及び図６にも示すように、壁や陳列什器２０に設けられた係止穴２１に係合される係止爪１２と、この係止爪１２の近傍に位置して、係止穴２１に係合されるストッパ１３とを設けたことが、上記請求項１のそれと異なる点であり、その他の構成は上記請求項１の場合と同様である。このため、以下では、これらの係止穴２１に係合される係止爪１２と、この係止爪１２の近傍に位置して、係止穴２１に係合されるストッパ１３とを中心にした説明をしていくこととする。
【００２９】
ストッパ１３の係止穴２１に対する係合は、当該ストッパ１３自体が係止穴２１内に係合すること、あるいは、後述する最良形態におけるように、このストッパ１３が有している係止ピン１３ｄによって行われる。つまり、最良形態のストッパ１３では、図６及び図７に示すように、そのベース部材１３ａ自体が基部１１に一体化されるものではあるが、このベース部材１３ａに対して係止ピン１３ｄが進退可能に設けてあるから、各係止爪１２が係止穴２１内に係合されたとき、図７の（ａ）及び（ｂ）に示すように、別の係止穴２１内に係止ピン１３ｄも係合するものである。
【００３０】
当該陳列用支持具１０の各基部１１が、壁または陳列什器２０側の係止穴２１に係合したときには、図７の（ｂ）に示すように、各係止穴２１と係止爪１２との間にはある一定のクリアランスが存在しているが、このクリアランスは、各係止爪１２の係止穴２１内への係合操作を行い易くしている反面、前述した通り、地震等の際には、当該陳列用支持具１０を壁または陳列什器２０から外してしまう原因ともなる。しかしながら、この陳列用支持具１０では、図７の（ｂ）にて示すように、ストッパ１３あるいはこれを構成している係止ピン１３ｄが、他の係止穴２１内に係合するのであるから、当該陳列用支持具１０の後部が壁または陳列什器２０から外れてしまうことはないのである。
【００３１】
また、ストッパ１３あるいは係止ピン１３ｄは、その係合されるべき先端が壁または陳列什器２０側の係止穴２１の幅以下であるため、その各係止穴２１に対する係合は、上記各係止爪１２の係止穴２１への係合と殆ど同時に行える。何故なら、当該ストッパ１３が係合されるべき係止穴２１は、基部１１が係合された直下に位置しているからであり、特に、係止ピン１３ｄを有する場合には、この係止ピン１３ｄの係合時につまみ１３ｆによって当該係止ピン１３ｄを少し後退させて、その先端を係止穴２１内に係合させることによって容易に行えるからである。勿論、ストッパ１３またはこれが有している係止ピン１３ｄは、図７の（ｂ）にも示すように、係止穴２１内に係合しているから、地震時において簡単に外れることがないだけでなく、その取り外し作業も、上記とは逆の順で行えば、容易に行えるのである。
【００３２】
従って、この請求項２に係る陳列用支持具１０は、上記請求項１のそれと同様な機能を発揮する他、その基部１１の後部に設けた各係止爪１２及びストッパ１３によって壁または陳列什器２０の各係止穴２１に対する取り付け及び取り外しが簡単に行えるだけでなく、通常展示時には、脱落を確実に防止することができ、しかも商品を吊下している陳列バー３０ａや棚板受３０ｂが係止穴２１または係止穴部材に対して横揺れしないように固定できるものとなっているのである。
【発明の効果】
【００３３】
以上、説明した通り、請求項１に係る発明では、
「壁や陳列什器２０に対して、陳列バー３０ａまたは棚板３１を受ける棚板受３０ｂを支持する基部１１を有する陳列用支持具１０であって、
基部１１の前部に、衣服のハンガー３２を掛ける陳列バー３０ａが挿通される取付穴１６ａまたは棚板受３０ｂを係止する取付段部１６ｂと、これらの取付段部１６ｂまたは取付穴１６ａの近傍に位置する回動穴１４とを設け、
回動穴１４内に嵌合される軸部１５ａと、この軸部１５ａの両側に一体化されて、基部１１の両側に位置することになるロックアーム１５ｂと、これら各ロックアーム１５ｂの同一位置に形成されて、陳列バー３０ａまたは棚板受３０ｂの後面に当接するロック端部１５ｃとからなるロック部材１５を、回動穴１４に回動自在に取り付けたこと」
にその構成上の特徴があり、これにより、基部１１の前部に設けたロック部材１５によって、基部１１に対する陳列バー３０ａまたは棚板受３０ｂの固定が行えるのであり、係止穴２１に対する取り付け及び取り外しが簡単に行えるだけでなく、通常展示時には、脱落を確実に防止することができ、しかも商品を吊下している陳列バー３０ａや棚板受３０ｂが係止穴２１または係止穴部材に対して横揺れしないように固定できる陳列用支持具１０を提供することができるのである。
【００３４】
また、請求項２に係るに発明によれば、上記請求項１に係る陳列用支持具１０について、
「基部１１の後部に、壁や陳列什器２０に設けられた係止穴２１に係合される係止爪１２と、この係止爪１２の近傍に位置して、係止穴２１に係合されるストッパ１３とを設けるたこと」
にその構成上の特徴があり、これにより、上記請求項１のそれと同様な効果を発揮する他、その基部１１の後部に設けた各係止爪１２及びストッパ１３によって壁または陳列什器２０の各係止穴２１に対する取り付け及び取り外しが簡単に行うことができるだけでなく、通常展示時には、脱落を確実に防止することができ、しかも商品を吊下している陳列バー３０ａや棚板受３０ｂが係止穴２１または係止穴部材に対して横揺れしないように固定できる陳列用支持具１０を提供することができるのである。
【図面の簡単な説明】
【００３５】
【図１】請求項１に係る陳列用支持具によって陳列バーを支持した状態を示すもので、（ａ）は長い基部の場合の斜視図、（ｂ）は短い基部の場合の斜視図である。
【図２】同陳列用支持具の前部に形成した回動穴とロック部材との関係を示すもので、（ａ）はロック部材のロック状態を示す部分拡大側面図、（ｂ）はロック部材を回動穴に嵌合しようとしている様子を示す部分拡大側面図である。
【図３】同陳列用支持具において使用しているロック部材を示すもので、（ａ）は部分側面図、（ｂ）は軸部で横断した部分断面図、（ｃ）は回動穴に取り付けたロック部材の平面図である。
【図４】同陳列用支持具の係止爪と壁または陳列什器側の係止穴との係合状態を示すもので、（ａ）は部分拡大縦断面図、（ｂ）は（ａ）の図示左側からみた背面図である。
【図５】請求項２に係る陳列用支持具によって陳列バーを支持した状態を示すもので、（ａ）は長い基部の場合の斜視図、（ｂ）は短い基部の場合の斜視図である。
【図６】同陳列用支持具の係止爪と壁または陳列什器側の係止穴との係合状態、及びストッパの作動状態を示すもので、（ａ）は部分拡大縦断面図、（ｂ）は（ａ）の図示左側からみた背面図である。
【図７】同陳列用支持具において使用しているストッパを示すもので、（ａ）は縦断面図、（ｂ）はベース部材の縦断面図、（ｃ）はスプリングの側面図、（ｄ）は支持軸及び係止ピンの側面図である。
【図８】他の陳列バーの例を示す斜視図である。
【図９】同陳列用支持具が対象とする棚板受の場合を例示した分解斜視図（ａ）と部分拡大縦断面図（ｂ）である。
【図１０】従来の技術を示す縦断面図である。
【発明を実施するための形態】
【実施例】
【００３６】
次に、以上のように構成した各請求項に係る発明を、図面に示した実施形態である陳列用支持具１０について説明するが、図１には実施例１が、また図５には実施例２が示してある。両実施例とも、基部１１の前部に取付穴１６ａまたは取付段部１６ｂを設けて、これらの取付穴１６ａまたは取付段部１６ｂに、陳列バー３０ａまたは棚板受３０ｂを挿入または載置するようにしている。これに対して、基部１１の後部において、図１の実施例１に係る陳列用支持具１０（請求項１に係るもの）はストッパ１３を設けないものであり、図５の実施例２に係る陳列用支持具１０（請求項２に係るもの）はストッパ１３を設けたものである。
【００３７】
図１及び図５の各（ａ）には、基部１１の長さが長い２本の陳列用支持具１０が、また図１及び図５の各（ｂ）には、基部１１の長さが短い２本の陳列用支持具１０が、それぞれ示してある。各陳列用支持具１０の基部１１の前部には、上述したように、取付穴１６ａまたは取付段部１６ｂが設けてあり、これらの取付穴１６ａまたは取付段部１６ｂ内に、陳列バー３０ａまたは棚板受３０ｂが挿通してあって、これらの陳列バー３０ａまたは棚板受３０ｂが、図８または図９に示したように、壁または陳列什器２０の前方にて水平に位置するようになされる。
【００３８】
なお、図１に示した陳列バー３０ａは、角棒または角パイプであるが、この陳列バー３０ａは、図８に示したように丸棒または丸パイプによって構成してもよいものである。このような陳列バー３０ａが挿通されるべき取付穴１６ａ、または棚板受３０ｂが載置される取付段部１６ｂは、当然これらの陳列バー３０ａまたは棚板受３０ｂの形状に合わせたものとなされる。
【００３９】
まず、基部１１の後部から説明すると、この基部１１の後部には、図１及び図５に示したように、複数の係止爪１２が一体的に形成してあり、これら各係止爪１２は、図４または図６に示したように、壁または陳列什器２０側の係止穴２１内に係合されるものである。各係止穴２１は、図８及び図９に示したように、壁または陳列什器２０に取り付けられる係止穴部材（サポート部材）に形成される場合もあるが、壁または陳列什器２０それ自体に直接形成されることもある。また、当該陳列用支持具１０が、図９に示すような棚板受３０ｂをケースや棚に対して取り付けるものであれば、各係止穴２１は、ケースや棚の背板に形成されるかこれに取り付けた係止穴部材に形成されるものである。
【００４０】
また、基部１１の後部であって、各係止爪１２の下側には、図５及び図６に示したように、ストッパ１３が一体的に取り付けてある。この最良形態におけるストッパ１３は、図６の（ａ）及び図７に示したように、基部１１の後部下面に取り付けられるベース部材１３ａと、このベース部材１３ａ内に収納される圧縮スプリング１３ｂと、このスプリング１３ｂによって、図７の（ａ）の図示左方に常に付勢される支持軸１３ｃと、この支持軸１３ｃの先端に一体化されて、壁または陳列什器２０側の係止穴２１内にに係合する係止ピン１３ｄとを備えたものである。
【００４１】
つまり、このストッパ１３は、図７の（ａ）及び（ｄ）に示したように、その支持軸１３ｃの図示右端につまみ１３ｆが一体化してあり、このつまみ１３ｆを引くことにより、それまで図示左端に突出していた係止ピン１３ｄをベース部材１３ａ内に引き込み、係止ピン１３ｄの先端が係止穴２１内に突出しないようにし、つまみ１３ｆから手を離せば、スプリング１３ｂの作用によって、再び係止ピン１３ｄの先端を係止穴２１に向けて突出させるものである。なお、このストッパ１３の先端自体が係止穴２１内に係合するものとしてあってもよく、その場合にはスプリング１３ｂや支持軸１３ｃは不要となる。
【００４２】
さて、この陳列用支持具１０の基部１１の前部に話しを移すと、この前部には、図１及び図２にも示したように、陳列バー３０ａが挿通される取付穴１６ａ、または棚板受３０ｂを係止する取付段部１６ｂと、これらの取付段部１６ｂまたは取付穴１６ａの近傍に位置する回動穴１４とが設けてある。特に、棚板受３０ｂを係止する取付段部１６ｂの前部上面には、図９にも示したように、ストッパ部３０ｃが形成してあり、このストッパ部３０ｃは、当該棚板受３０ｂ及び基部１１上に載置された棚板３１がこれより前方に移動しないようにするものである。
【００４３】
これらの取付穴１６ａまたは取付段部１６ｂの近傍に位置する回動穴１４は、図２に示したように、ロック部材１５を回動可能に支持するものであり、このロック部材１５の回動位置を規定するものである。この回動穴１４は、図２の（ｂ）にて示したように、切欠１４ａと突起部１４ｂとからなっているものであり、切欠１４ａは、後述するロック部材１５の軸部１５ａを挿通するものであり、突起部１４ｂはロック部材１５の軸部１５ａの外れ防止をなすものである。換言すれば、この回動穴１４は、切欠１４ａを有するものであっても、突起部１４ｂの存在によって後述するロック部材１５の回転可能な支持を行うものである。
【００４４】
ロック部材１５は、合成樹脂を材料として形成したもので、図３の（ａ）及び（ｃ）に示したように、一本の軸部１５ａの両側に、同一位置にロックアーム１５ｂを形成した二枚のロック板１５ｃを一体化したものであり、これらのロック板１５ｃの同一位置にはロック端部１５ｄが形成してある。軸部１５ａは、上記回動穴１４の内径と同じ直径で、図３の（ｂ）中に記載した２点を中心とした２つの円を重ねたような断面形状を有したもので、中心が２つあることによって、回動穴１４内で回動したとき、ロック端部１５ｄが取付穴１６ａまたは取付段部１６ｂに対して進退し得るようにしたものである。
【００４５】
つまり、このロック部材１５は、例えば、そのロックアーム１５ｂを図３の（ａ）中の実線にて示した位置に回動したときには、ロック端部１５ｄの端部を取付穴１６ａまたは取付段部１６ｂ外に位置するようにし、そのロックアーム１５ｂを図３の（ａ）中の仮想線にて示した位置に回動したときには、ロック端部１５ｄの端部を取付穴１６ａまたは取付段部１６ｂ内に位置するようにしたものである。
【００４６】
従って、このロック部材１５は、図３の（ｂ）にも示したように、そのロックアーム１５ｂを水平状態にしたときには、ロック端部１５ｄを取付段部１６ｂまたは取付穴１６ａ内に突出しないようにし、ロックアーム１５ｂを略垂直状態にしたときには、ロック端部１５ｄを取付段部１６ｂまたは取付穴１６ａ内に突出させるものである。取付穴１６ａまたは取付段部１６ｂ内には陳列バー３０ａまたは棚板受３０ｂが存在しているから、突出したロック端部１５ｄは、これらの陳列バー３０ａまたは棚板受３０ｂの側面に圧接し、陳列バー３０ａまたは棚板受３０ｂを取付穴１６ａまたは取付段部１６ｂ内面に圧接することになる。
【００４７】
換言すれば、ロックアーム１５ｂを水平状態にしたときには、陳列バー３０ａまたは棚板受３０ｂを、取付穴１６ａまたは取付段部１６ｂに対して自由に抜き差しでき、位置調整したり分解したりできるのである。
【００４８】
これに対して、ロックアーム１５ｂを略垂直状態にしたときには、取付穴１６ａまたは取付段部１６ｂ内に突出したロック端部１５ｄによって、陳列バー３０ａまたは棚板受３０ｂを、取付穴１６ａまたは取付段部１６ｂに押し付けて固定するのである。このため、このロック部材１５は、陳列バー３０ａまたは棚板受３０ｂの当該陳列用支持具１０に対する横揺れをさせないようにするだけでなく、陳列用支持具１０の壁または陳列什器２０に対する固定も行うことになって、商品の安定した陳列が行われることになる。
【００４９】
以上の結果、請求項１に係る陳列用支持具１０によれば、これによって支持すべき対象が、図１または図８に示した陳列バー３０ａである場合には、その横方向支持を行うとともに、まずは、基部１１の前部のロック部材１５によって、この陳列用支持具１０に対する陳列バー３０ａの固定が行なわれるのである。そして、基部１１の後部の各係止爪１２及びストッパ１３によって、請求項２に係る陳列用支持具１０では、壁または陳列什器２０側の各係止穴２１に対する固定をもなされるのである。
【００５０】
しかも、２本の陳列用支持具１０によって陳列バー３０ａを支持し、係止爪１２、ストッパ１３、及びロック部材１５による固定がなされれば、当該陳列バー３０ａは壁または陳列什器２０に対してしっかりと取り付けられ、逆に、ストッパ１３及びロック部材１５でのロック解除を行えば、改装時の陳列用支持具１０の分解や、地震発生時の当該陳列用支持具１０の取り外しも容易に行えるのである。
【００５１】
一方、本発明に係る陳列用支持具１０によれば、これによって支持すべき対象が、図９の（ａ）に示した棚板受３０ｂである場合には、その横方向支持を行うとともに、前部のロック部材１５によってこの陳列用支持具１０に対する固定を行い、後部の各係止爪１２及びストッパ１３によって壁または陳列什器２０側の各係止穴２１に対する固定をも行えるのである。また、この陳列用支持具１０によって支持した棚板受３０ｂと、陳列用支持具１０を構成している基部１１の上面とによって、図９の（ｂ）に示したように、棚板３１が載置されるべき箇所が確保できることになる。
【００５２】
以上の図９の（ａ）に示した棚板受３０ｂでも、２本の陳列用支持具１０によって支持され、係止爪１２、ストッパ１３、及びロック部材１５による固定がなされれば、当該棚板受３０ｂは壁または陳列什器２０に対してしっかりと取り付けられ、逆に、ストッパ１３及びロック部材１５でのロック解除を行えば、改装時の陳列用支持具１０の分解や、地震発生時の当該陳列用支持具１０の取り外しも容易に行えるのである。
【符号の説明】
【００５３】
１０    陳列用支持具
１１    基部
１２    係止爪
１３    ストッパ
１３ａ  ベース部材
１３ｂ  スプリング
１３ｃ  支持軸
１３ｄ  係止ピン
１３ｅ  案内部
１３ｆ  つまみ
１４    回動穴
１４ａ  切欠
１４ｂ  突起部
１５    ロック部材
１５ａ  軸部
１５ｂ  ロックアーム
１５ｃ  ロック板
１５ｄ  ロック端部
１６ａ  取付穴
１６ｂ  取付段部
２０    壁または陳列什器
２１    係止穴
３０ａ  陳列バー
３０ｂ  棚板受
３０ｃ  ストッパ部
３１    棚板
３２    ハンガー
３３    ハンガー掛け
【図１】
2010268826.tif 000003
【図２】
2010268826.tif 000004
【図３】
2010268826.tif 000005
【図４】
2010268826.tif 000006
【図５】
2010268826.tif 000007
【図６】
2010268826.tif 000008
【図７】
2010268826.tif 000009
【図８】
2010268826.tif 000010
【図９】
2010268826.tif 000011
【図１０】
2010268826.tif 000012